(57)【要約】    【課題】  外部への電子化ファイルの送信状況を容易に把握することができるデジタルカメラ及び再生表示方法を提供する。    【解決手段】  ＣＣＤ１４による撮像によって取得された被写体像を示すデジタル画像データを画像ファイルとして記録媒体に記録し、当該画像ファイルが外部機器インタフェース６４を介して外部に送信された場合に、送信されたことを示す送信情報を当該画像ファイルのタグ領域に記録し、記録メディア４２Ａに記録されている画像ファイルによって示されるサムネイル画像をＬＣＤ３０により再生表示する際に、送信情報に基づいて送信状況を判別可能に表示する。    【選択図】  図２
2005117362.tif 000002
【特許請求の範囲】
【請求項１】
撮像により取得された被写体像を示すデジタル画像データが電子化ファイルとして記録された記録媒体と、
前記電子化ファイルにより示される被写体像を表示するための表示手段と、
前記電子化ファイルを外部に送信するための送信手段と、
前記送信手段により前記電子化ファイルが外部に送信された場合に、送信状況を示す送信情報を当該電子化ファイルに関連付けて前記記録媒体に記録する送信記録手段と、
前記記録媒体に記録されている前記電子化ファイルによって示される前記被写体像を前記表示手段により再生表示する際に、前記送信情報により示される送信状況を判別可能に表示する制御手段と、
を備えたデジタルカメラ。
【請求項２】
前記送信記録手段は、前記送信状況として送信用途を示す送信情報を記録し、
前記制御手段は、前記送信情報により示される送信用途を判別可能に表示する
請求項１に記載のデジタルカメラ。
【請求項３】
前記送信記録手段は、前記送信用途として印刷のための送信及びバックアップのための送信の少なくとも一方を示す送信情報を記録する
請求項２に記載のデジタルカメラ。
【請求項４】
前記制御手段は、前記表示手段により再生表示する被写体像に、色、模様及び形状の少なくとも１つを前記送信状況に応じて異ならせた画像を追加して表示することにより送信状況を判別可能に表示する
請求項１乃至請求項３の何れかに記載のデジタルカメラ。
【請求項５】
前記電子化ファイルの何れかの前記記録媒体からの消去指示を入力するための入力手段を更に備え、
前記制御手段は、前記入力手段により消去指示が入力された場合に、当該消去の対象となる前記電子化ファイルに関連付けされた前記送信情報により示される前記送信状況に応じて、未送信である場合にはその旨を明示し、送信済みである場合には当該電子化ファイルを前記記録媒体から消去する
請求項１乃至請求項４の何れかに記載のデジタルカメラ。
【請求項６】
撮像により取得され、電子化ファイルとして記録媒体に記録された被写体像を再生表示するための表示手段を備えたデジタルカメラの当該表示手段に対する前記被写体像の再生表示方法であって、
前記電子化ファイルが前記デジタルカメラの外部に送信された場合に、送信状況を示す送信情報を当該電子化ファイルに関連付けて前記記録媒体に記録し、
前記記録媒体に記録されている前記電子化ファイルによって示される前記被写体像を前記表示手段により再生表示する際に、前記送信情報により示される送信状況を判別可能に表示する
再生表示方法。
【発明の詳細な説明】
【技術分野】
【０００１】
本発明は、撮像により取得された被写体像を示す電子化ファイルを外部に送信可能で、かつ前記被写体像を再生表示可能なデジタルカメラ及び当該デジタルカメラの再生表示方法に関する。
【背景技術】
【０００２】
近年、デジタルカメラとしては、ＰＣ（Personal Computer）やプリンタ等の外部機器と通信可能に構成されたものが多数製品化されている。
【０００３】
この種のデジタルカメラでは、電子化ファイルとして記録媒体に記録したデジタル画像データを通信により外部機器に送信し、バックアップや当該デジタル画像データにより示される被写体像のプリント等を行なうことができる。このようなバックアップやプリント等を行なった電子化ファイルが、デジタルカメラに保持しておく必要がない電子化ファイルであるか、或いは特に重要な電子化ファイルでありデジタルカメラにも保持しておく必要があるか、はユーザによって異なるが、何れにしてもこれらの電子化ファイルについて外部への送信状況を示す情報を記録しておき、いつでも容易に送信状況を把握できるようにすることが好ましい。
【０００４】
そのための技術として、特許文献１には、デジタルカメラにおいて、撮像した被写体画像をフラッシュメモリに保存記憶し、当該記憶した被写体像をＰＣ等の外部保存装置に送信可能とすると共に、デジタルカメラの内部に備えられた記録画像を管理する画像管理テーブルにより外部保存装置への送信状態や送信先等を管理する、という技術が記載されている。
【０００５】
また、特許文献２には、プリンタ付きデジタルカメラにおいて、プリントエラー発生時やユーザの意思によるプリント中断指示などによりプリント動作が中断される場合、内蔵メモリに格納されている画像データを外部記録媒体に転送記録すると共に、当該記録の際に、画像データの一部にタグを設けてプリント情報を記録しておき、外部記録媒体から画像データを読み出してプリントを再実行するときは、付加されているタグの情報をもとにプリント動作を自動的に決定する、という技術が記載されている。
【特許文献１】特開２０００−２０９５３６公報
【特許文献２】特開２００１−５７６６７公報
【発明の開示】
【発明が解決しようとする課題】
【０００６】
しかしながら、上記特許文献１及び特許文献２の技術では、電子化ファイルについての送信状態や送信先或いはプリント情報等の送信情報を記憶しているにも拘らず、送信のための処理或いはプリント処理を行なうためのみに当該送信情報を用いているため、送信状況を容易には把握することができない、という問題点があった。
【０００７】
本発明は上記問題点を解決するためになされたものであり、外部への電子化ファイルの送信状況を容易に把握することができるデジタルカメラ及び再生表示方法を提供することを目的とする。
【課題を解決するための手段】
【０００８】
上記目的を達成するために、請求項１記載のデジタルカメラは、撮像により取得された被写体像を示すデジタル画像データが電子化ファイルとして記録された記録媒体と、前記電子化ファイルにより示される被写体像を表示するための表示手段と、前記電子化ファイルを外部に送信するための送信手段と、前記送信手段により前記電子化ファイルが外部に送信された場合に、送信状況を示す送信情報を当該電子化ファイルに関連付けて前記記録媒体に記録する送信記録手段と、前記記録媒体に記録されている前記電子化ファイルによって示される前記被写体像を前記表示手段により再生表示する際に、前記送信情報により示される送信状況を判別可能に表示する制御手段と、を備えている。
【０００９】
請求項１に記載のデジタルカメラは、記録媒体に記録されている電子化ファイルであり、撮像により取得された被写体像を示す電子化ファイルによって示される被写体像を表示手段により表示することができると共に、前記電子化ファイルを送信手段により外部に送信することができる。
【００１０】
なお、上記記録媒体には、スマートメディア、ＳＤカード、メモリスティック、コンパクトフラッシュ（Ｒ）、マイクロドライブ等の可搬記録媒体や、ＲＡＭ、ＥＥＰＲＯＭ、フラッシュメモリ等の半導体記憶素子が含まれる。
【００１１】
また、上記表示手段には、ＬＣＤ（Liquid Crystal Display）、ＣＲＴディスプレイ、有機ＥＬディスプレイ、プラズマディスプレイ等のディスプレイが含まれる。
【００１２】
なお、上記電子化ファイルの外部への送信は、ケーブル等を用いた有線通信の他、赤外線等を用いた無線通信によっても行なうことができる。
【００１３】
ここで、本発明では、前記送信手段により前記電子化ファイルが外部に送信された場合に、送信記録手段により送信状況を示す送信情報が当該電子化ファイルに関連付けされて前記記録媒体に記録され、前記記録媒体に記録されている前記電子化ファイルによって示される前記被写体像が制御手段によって前記表示手段に再生表示される際に、前記送信情報により示される送信状況が判別可能に表示される。
【００１４】
すなわち、本発明では、電子化ファイルを外部に送信したときに、当該電子化ファイルに関連付けて送信状況を示す送信情報を記録しておき、電子化ファイルを表示手段により再生表示する際に、当該送信情報により示される送信状況を判別できるように表示するので、電子化ファイルの外部への送信状況を把握したい場合には、当該電子化ファイルによって示される被写体像を再生表示するだけでよく、当該送信状況を容易に把握することができる。
【００１５】
このように、請求項１に記載のデジタルカメラによれば、撮像により取得された被写体像を示すデジタル画像データを電子化ファイルとして記録媒体に記録し、当該電子化ファイルが外部に送信された場合に、送信状況を示す送信情報を当該電子化ファイルに関連付けて前記記録媒体に記録し、前記記録媒体に記録されている前記電子化ファイルによって示される前記被写体像を前記表示手段により再生表示する際に、前記送信情報により示される送信状況を判別可能に表示しているので、外部への電子化ファイルの送信状況を容易に把握することができる。
【００１６】
なお、上記送信情報は、外部に送信した電子化ファイルに関連付けされて記録されていれば、どのような方法で記録しても本発明の効果を享受することができる。この方法として、例えば、当該送信情報を電子化ファイルの一部に付帯情報として記録する方法や、当該送信情報と対応する電子化ファイルとを関連付けるテーブルを別途設けると共に、当該電子化ファイルとは別個の電子化ファイルとして当該送信情報を記録する方法等が例示できる。
【００１７】
また、本発明の前記送信記録手段は、請求項２に記載の発明のように、前記送信状況として送信用途を示す送信情報を記録し、前記制御手段は、前記送信情報により示される送信用途を判別可能に表示することが好ましい。これにより、送信用途についても容易に把握することができる。
【００１８】
さらに、請求項２に記載の発明の前記送信記録手段は、請求項３に記載の発明のように、前記送信用途として、印刷のための送信及びバックアップのための送信の少なくとも一方を示す送信情報を記録してもよい。これにより、デジタルカメラから外部への電子化ファイルの送信用途として非常に頻度の高い印刷のための送信及びバックアップのための送信の実行状況が把握できる。
【００１９】
さらに、本発明は、請求項４に記載の発明のように、前記制御手段は、前記表示手段により再生表示する被写体像に、色、模様及び形状の少なくとも１つを前記送信状況に応じて異ならせた画像を追加して表示することにより前記送信状況を判別可能に表示することもできる。これにより、色、模様及び形状のうちの送信状況に応じて異ならせたものによって視覚的に直感的に電子化ファイルの外部への送信状況を把握することができる。
【００２０】
なお、上記送信状況に応じて異ならせた画像の表示方法としては、送信状況に応じて予め定められたマークを被写体像と共に表示したり、被写体像を表示する際の背景の色や模様を送信状況に応じて変えて表示する等により、再生された被写体像の視認性を妨げることなく送信状況を判別可能に表示できるものを適用することが好ましい。
【００２１】
また、本発明は、請求項５に記載の発明のように、前記電子化ファイルの何れかの前記記録媒体からの消去指示を入力するための入力手段を更に備え、前記制御手段は、前記入力手段により消去指示が入力された場合に、当該消去の対象となる前記電子化ファイルに関連付けされた前記送信情報により示される前記送信状況に応じて、未送信である場合にはその旨を明示し、送信済みである場合には当該電子化ファイルを前記記録媒体から消去するようにしてもよい。
【００２２】
請求項５に記載の発明によれば、外部に対して未送信である電子化ファイルの消去指示が入力されたときには、その旨を明示するようにしているので、当該電子化ファイルが未送信の状態で消去してもよい電子化ファイルか否かを確認できる。このとき、例えば、外部に送信する必要がある電子化ファイルについては、別途送信を行なった後に再度当該電子化ファイルの消去指示を入力すればよい。
【００２３】
また、外部に対して送信済みである電子化ファイルの消去指示が入力されたときには自動的に当該電子化ファイルを記録媒体から消去しているので、再度消去の実行の可否を確認する手間を省くことができる。
【００２４】
なお、未送信の状態で消去したい場合もあることを考慮して、本発明は、上記のように消去の対象となる電子化ファイルが未送信の電子化ファイルである旨を明示した後に続けて再度消去指示が入力された場合には、当該消去指示の対象となる電子化ファイルの外部への送信の如何に拘らず当該電子化ファイルを記録媒体から消去するようにしてもよい。
【００２５】
一方、上記目的を達成するために、請求項６に記載の再生表示方法は、撮像により取得され、電子化ファイルとして記録媒体に記録された被写体像を再生表示するための表示手段を備えたデジタルカメラの当該表示手段に対する前記被写体像の再生表示方法であって、前記電子化ファイルが前記デジタルカメラの外部に送信された場合に、送信状況を示す送信情報を当該電子化ファイルに関連付けて前記記録媒体に記録し、前記記録媒体に記録されている前記電子化ファイルによって示される前記被写体像を前記表示手段により再生表示する際に、前記送信情報により示される送信状況を判別可能に表示するものである。
【００２６】
したがって、請求項６に記載の画像記録方法によれば、デジタルカメラに対して上記請求項１に記載の発明と同様に作用させることができるので、請求項１に係る発明と同様に、外部への電子化ファイルの送信状況を容易に把握することができる。
【発明の効果】
【００２７】
以上説明したように、本発明に係るデジタルカメラ及び再生表示方法によれば、撮像により取得された被写体像を示すデジタル画像データを電子化ファイルとして記録媒体に記録し、当該電子化ファイルが外部に送信された場合に、送信状況を示す送信情報を当該電子化ファイルに関連付けて前記記録媒体に記録し、前記記録媒体に記録されている前記電子化ファイルによって示される前記被写体像を前記表示手段により再生表示する際に、前記送信情報により示される送信状況を判別可能に表示しているので、外部への電子化ファイルの送信状況を容易に把握することができる、という優れた効果を有する。
【発明を実施するための最良の形態】
【００２８】
以下、図面を参照して、本発明を実施するための最良の形態について詳細に説明する。
【００２９】
まず、図１を参照して、本形態に係るデジタルカメラ１０の外観上の構成を説明する。
【００３０】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際に撮影者によって押圧操作されるレリーズボタン（所謂シャッター）５６Ａと、電源スイッチ５６Ｂと、が備えられている。
【００３１】
なお、本実施の形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３２】
そして、本実施の形態に係るデジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３３】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００３４】
また、デジタルカメラ１０の背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を中止（キャンセル）する際に押圧操作されるキャンセルキー５６Ｇと、が備えられている。
【００３５】
次に、図２を参照して、本実施の形態に係るデジタルカメラ１０の電気系の構成を説明する。
【００３６】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３７】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３８】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００３９】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像の輝度の高周波成分を示すＡＦ評価値。）を検出するＡＦ検出回路３４と、ＡＥ機能及びＡＷＢ（Automatic White Balance）機能を働かせるために必要とされる物理量（本実施の形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００４０】
更に、デジタルカメラ１０は、スマートメディア（Smart Media(R)）により構成された記録メディア４２Ａをデジタルカメラ１０でアクセス可能とするためのメディアコントローラ４２と、を含んで構成されている。
【００４１】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０及びメディアコントローラ４２は、各々バスＢＵＳを介して相互に接続されている。
【００４２】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８及び第２メモリ４０へのアクセスと、メディアコントローラ４２を介した記録メディア４２Ａへのアクセスと、を各々行うことができる。
【００４３】
一方、デジタルカメラ１０には、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００４４】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４５】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４６】
ＣＰＵ３２は、光学ズーム倍率を変更する際にはズームモータを駆動制御して光学ユニット１３に含まれるレンズ１２の焦点距離を変化させる。
【００４７】
また、ＣＰＵ３２は、ＣＣＤ１４による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４８】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００４９】
また、デジタルカメラ１０は、接続された外部機器との間の所定インタフェース規格（本実施の形態ではＵＳＢ（Universal Serial Bus）規格）による通信を司る外部機器インタフェース６４を備えている。
【００５０】
当該外部機器インタフェース６４もバスＢＵＳに接続されており、ＣＰＵ３２は、外部機器インタフェース６４に接続されたＰＣやプリンタ等の外部機器６６との間で通信可能とされている。
【００５１】
なお、本実施の形態に係るデジタルカメラ１０はＥｘｉｆ（Exchangeable Image File Format）規格に対応しており、撮影によって得られたＥｘｉｆ規格の画像ファイルのタグ領域に当該画像ファイルに関する情報を記録することができる。
【００５２】
すなわち、図３に示すように、本実施の形態に係るデジタルカメラ１０において、撮影により得られて記録メディア４２Ａに記録される画像ファイル６０はＥｘｉｆ規格に対応しているため、スタートコード領域６０Ａ、タグ領域６０Ｂ、サムネイル画像領域６０Ｃ、及び主画像領域６０Ｄが含まれている。
【００５３】
なお、タグ領域６０Ｂに記録可能な上記画像ファイルに関する情報としては、画像ファイルを得るための撮影に関する撮影情報（ストロボの発光状態を示す情報、絞りの状態を示す情報、撮影日時を示す情報、フォーカスエリアを示す情報等）や、撮影時にデジタルカメラ１０で設定されていた撮影条件（マニュアル撮影、オート撮影、プログラム撮影、マクロ撮影、移動体撮影、夜景撮影、人物撮影等）を示す情報等が挙げられる。本実施の形態では、メニューキー５６Ｅの押圧操作に応じてＬＣＤ３０に表示されるメインメニュー画面上でタグ領域６０Ｂに記録する情報が予め選択的に設定される。
【００５４】
また、本実施の形態では、タグ領域６０Ｂの所定領域に対して、画像ファイルが外部機器インタフェース６４を介して外部機器６６に送信されたことを示す送信情報が記録されるように設定されている。当該送信情報としては外部への送信又は未送信のみを示す情報を適用することもできるが、本実施の形態では、送信用途を示す情報を適用している。具体的には、外部機器６６がプリンタである場合には印刷のための送信を示す送信情報（以下、「プリント済み情報」という。）が、外部機器６６がＰＣや記憶装置等である場合にはバックアップのための送信を示す送信情報（以下、「バックアップ済み情報」という。）が、それぞれ記録される。
【００５５】
次に、本実施の形態に係るデジタルカメラ１０の作用を説明する。まず、撮影モードが設定されている場合の全体的な処理の流れについて簡単に説明する。
【００５６】
まず、ＣＣＤ１４による光学ユニット１３を介した撮像が行なわれ、被写体像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５７】
画像入力コントローラ２０は内蔵しているラインバッファにＡＤＣ１８から順次入力されるデジタル画像データを蓄積して一旦第２メモリ４０の所定領域に格納する。
【００５８】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００５９】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００６０】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式（本実施の形態では、ＪＰＥＧ形式）で圧縮した後に記録メディア４２ＡにＥｘｉｆフォーマットの画像ファイルとして記録する。この際、当該画像ファイルのタグ領域には、予めメインメニュー画面上で当該タグ領域に記録する情報として設定された情報が記録されることになる。
【００６１】
ところで、メニューキー５６Ｅの押圧操作に応じてＬＣＤ３０に表示されるメインメニュー画面上で記録メディア４２Ａに記録されている何れかの画像ファイルに対するプリント処理又はバックアップ処理の実行指示が入力されると、ＣＰＵ３２は、当該画像ファイルを外部機器インタフェース６４に接続された外部機器６６に送信する。
【００６２】
また、このとき、ＣＰＵ３２は、記録メディア４２Ａにおける外部機器６６に送信した画像ファイルのタグ領域６０Ｂに、送信情報として上記メインメニュー画面上で指示された処理に応じた送信用途を示す情報（プリント済情報又はバックアップ済み情報）を記録する。
【００６３】
そして、デジタルカメラ１０では、再生モードが設定されている場合において、記録メディア４２Ａに記録されている画像ファイルをＬＣＤ３０に再生表示する際に、送信情報により示される送信状況が判別できるように表示するマルチ画面再生処理を実行する。
【００６４】
図４は、再生モードが設定されている場合に、デジタルカメラ１０のＣＰＵ３２で所定期間（本実施の形態では、０．５秒）毎に実行されるマルチ画面再生処理プログラムの処理の流れを示すフローチャートであり、以下、同図を参照して本実施の形態に係るマルチ画面再生処理について説明する。
【００６５】
まず、ステップ１００では、記録メディア４２Ａに記録されている画像ファイルのサムネイル画像領域６０Ｃに記録されたサムネイル画像情報及びタグ領域６０Ｂに記録された付帯情報を読み出し、次のステップ１０２では、所定数（本形態では、９）の画像ファイルについてサムネイル画像情報及び付帯情報の読み出しが完了したか否かを判定し、否定判定となった場合はステップ１００に戻り、肯定判定となった時点でステップ１０４に移行する。
【００６６】
ステップ１０４では、読み出したサムネイル画像情報により示される所定数のサムネイル画像をＬＣＤ３０に表示する。
【００６７】
ここで、本実施の形態では、一例として、図５（Ａ）に示すように、９コマ分のサムネイル画像をＬＣＤ３０の表示領域に縦方向及び横方法に並べて表示し、表示したサムネイル画像のうちの何れかをユーザにより選択可能とする。
【００６８】
また、本実施の形態では、ＬＣＤ３０におけるユーザにより選択されたサムネイル画像（以下、「選択コマ」という。）の表示位置に選択枠５８を表示するようにしている。そして、当該選択枠５８を、選択コマを示す画像ファイルの外部機器６６への送信状態に応じて異なる色で表示するようにしている。なお、ここでは、当該サムネイル画像の再生表示を開始する際の上記選択コマとして、所定位置に表示している画像コマ（本実施の形態では、ＬＣＤ３０の表示領域に対して左上に位置する画像コマ）を適用するものとしている。
【００６９】
次のステップ１０８では、選択コマを示す画像ファイルから読み出した付帯情報にバックアップ済み情報が含まれているか否かを判定し、肯定判定となった場合にはステップ１１０に移行して、青色の選択枠５８Ｂ（図５（Ａ）参照）を表示する。
【００７０】
一方、ステップ１０８で否定判定となった場合はステップ１１２に移行して、上記付帯情報にプリント済み情報が含まれているか否かを判定し、肯定判定となった場合はステップ１１４に移行して、緑色の選択枠５８Ｇ（図５（Ｂ）参照）を表示する。一方、ステップ１１２で否定判定となった場合はステップ１１６に移行して、橙色の選択枠５８Ｒ（図５（Ｃ）参照）を表示する。
【００７１】
このようにして、選択コマを示す画像ファイルの送信状況に応じて、バックアップ済みである場合はプリント済みか否かに拘らず青色の選択枠５８Ｂで、バックアップ済みではないがプリント済みである場合は緑色の選択枠５８Ｇで、未送信の場合は橙色の選択枠５８Ｒで、それぞれ選択コマを示す。
【００７２】
なお、本実施の形態では、バックアップを行なった画像ファイルの方がプリントを行なった画像ファイルより消去される可能性が高い点を考慮して、バックアップ済みであることを優先的に明示しているが、上記ステップ１０８で肯定判定となった場合に、さらにプリント済み情報の有無を判定するようにして、バックアップ済みでかつプリント済みである画像ファイルにより示される選択コマを示す際には、青色の選択枠５８Ｂの外周に緑色の選択枠５８Ｇを表示するようにしてもよい。また、バックアップ済みでかつプリント済みである選択コマを示す選択枠５８を、他の色の選択枠で示すようにしてもよい。これにより、さらに詳細な送信状況を把握することができる。
【００７３】
また、図５では、各選択枠５８（５８Ｂ、５８Ｇ、５８Ｒ）にそれぞれ異なる模様を付して示しているが、各選択枠５８は、実際にはそれぞれの模様が異なるのではなくそれぞれの色が異なる、ということは言うまでもない。
【００７４】
次のステップ１１８では、ユーザにより操作部５６が操作されたことを示す操作信号の入力待ちを行ない、次のステップ１２０では、入力された信号が選択の変更を指示するものであったか否かを、当該操作信号がユーザによる十字カーソルボタン５６Ｄの何れかの矢印キーの操作を示すものであったか否かを判定することにより判定し、肯定判定となった場合はステップ１２２に移行して、それまでの選択コマの表示位置に対するユーザにより操作された矢印キーによって示される位置に表示しているサムネイル画像を新たな選択コマとした後、上記ステップ１０８に戻る。
【００７５】
なお、ステップ１２２の処理において、それまでの選択コマの表示位置がＬＣＤ３０の表示領域において所定方向（例えば、上下方向、又は左右方向）の端部付近であり、当該選択コマの表示位置に対するユーザにより操作された矢印キーによって示される位置にサムネイル画像を表示していない場合には、新たにサムネイル画像情報及び付帯情報を読み出して当該画面をスクロール表示した後に、上述したようにして当該選択コマの表示位置に対するユーザにより操作された矢印キーによって示される位置に表示しているサムネイル画像を新たな選択コマとしている。
【００７６】
一方、ステップ１２０で否定判定となった場合はステップ１２４に移行して、操作信号に応じた処理を実行した後、本マルチ画面再生処理プログラムを終了する。
【００７７】
なお、当該操作信号に応じた処理としては、選択コマを示す画像ファイルの再生表示、メニュー画面の表示等が挙げられる。
【００７８】
なお、上記ステップ１１８で入力した操作信号がメニューキー５６Ｅの押圧操作を示すものであった場合には、その時点の選択コマを示す画像ファイルを処理対象としたメニュー項目がＬＣＤ３０に表示される。そして、当該メニュー項目から消去メニューが選択されると、消去メニュー画面が表示される。
【００７９】
一例として、図７（Ａ）に示すように、本実施の形態では、当該消去メニュー画面として画像ファイルの消去に関する処理を示すメニュー項目（同図では、「フォーマット」、「全コマ」、「１コマ」、「戻る」の各項目）を表示すると共に、各メニュー項目を選択可能とし、選択されたメニュー項目を示す選択カーソル５９を表示する。
【００８０】
このような消去メニュー画面が表示されると、ユーザは、十字カーソルボタン５６Ｄの操作により所望の処理を示すメニュー項目を示す位置に選択カーソル５９を移動させた後に実行キー５６Ｆを押圧操作することにより当該所望の処理を示すメニュー項目を確定して、所望の処理の実行指示を入力する。
【００８１】
なお、上記「フォーマット」は記録メディア４２Ａのフォーマット処理（初期化処理）を、「全コマ」は記録メディア４２Ａに記録された画像ファイルを全て消去する処理を、「１コマ」は選択コマを示す画像ファイルを消去する処理を、「戻る」は再びメニュー画面を表示させる処理を、それぞれ示すメニュー項目である。
【００８２】
図７（Ａ）に示す消去メニュー画面において「１コマ」が選択された場合、デジタルカメラ１０では、１コマ消去処理を実行する。
【００８３】
図６は、このときＣＰＵ３２が実行する１コマ消去処理プログラムの処理の流れを示すフローチャートであり、以下、同図を参照して、本実施の形態に係る１コマ消去処理について説明する。
【００８４】
まず、ステップ１３０では、選択コマを示す画像ファイルの主画像領域６０Ｄに記録されているデジタル画像データを読み出し、次のステップ１３２では、当該デジタルデータを圧縮・伸張処理回路２４により伸張させて、選択コマの画像をＬＣＤ３０に再生表示する。
【００８５】
次のステップ１３４では、ユーザにより操作部５６が操作されたことを示す操作信号の入力待ちを行ない、次のステップ１３６では、入力された操作信号が実行キー５６Ｆの押圧操作を示すものであるか否かを判定し、否定判定となった場合は１コマ消去がキャンセルされたものと判断し、本１コマ消去処理プログラムを終了する。
【００８６】
一方、ステップ１３６で肯定判定となった場合はステップ１３８に移行して、再生表示された画像の画像ファイルが未送信であるか否かを判定する。当該画像ファイルの付帯情報に、バックアップ済み情報及びプリント済み情報の少なくとも一方が含まれている場合はステップ１３８で否定判定となり、ステップ１４８に移行する。一方、再生表示された画像の画像ファイルの付帯情報にバックアップ済み情報及びプリント済み情報の何れの情報も含まれていない場合はステップ１３８で肯定判定となり、消去する前にバックアップやプリントを行なう必要があるか否かをユーザに判断させるべくステップ１４２に移行し、ＬＣＤ３０に消去確認画面を表示する。
【００８７】
消去確認画面には、一例として図７（Ｂ）に示すように、再生表示している画像の画像ファイルが外部に未送信である旨及び本当に消去してもよいかを問う旨のメッセージを表示すると共に、消去してもよい場合に指定する「ＯＫ」ボタン及び消去を中断する場合に指定する「キャンセル」ボタンを表示する。
【００８８】
これに対して、ユーザは上記所望のメニュー項目の選択時と同様の操作により、所望のボタンを指定する。
【００８９】
そこで、次のステップ１４４では、操作信号の入力待ちを行ない、次のステップ１４６では、操作信号が「ＯＫ」ボタンの指定を示すものであったか否かを判定することにより再生表示している画像の画像ファイルの消去を指示するものであったか否かを判定し、肯定判定となった場合はステップ１４８に移行して、選択コマの画像ファイルを記録メディア４２Ａから消去し、その後に本１コマ消去処理プログラムを終了する。
【００９０】
一方、ステップ１４６において否定判定となった場合は、当該画像の画像ファイルを消去することなく、本１コマ消去処理プログラムを終了する。
【００９１】
このように、本実施の形態によれば、ＣＣＤ１４による撮像によって取得された被写体像を示すデジタル画像データを画像ファイルとして記録媒体に記録し、当該画像ファイルが外部機器インタフェース６４を介して外部に送信された場合に、送信されたことを示す送信情報を当該画像ファイルのタグ領域に記録し、記録メディア４２Ａに記録されている画像ファイルによって示されるサムネイル画像をＬＣＤ３０により再生表示する際に、送信情報に基づいて送信状況を判別可能に表示しているので、外部への電子化ファイルの送信状況を容易に把握することができる。
【００９２】
また、本実施の形態によれば、送信状況として送信用途を示す送信情報を記録し、送信情報により示される送信用途を判別可能に表示しているので、送信用途についても容易に把握することができる。
【００９３】
さらに、本実施の形態によれば、送信用途として、印刷のための送信及びバックアップのための送信をそれぞれ示すプリント済み情報及びバックアップ済み情報の少なくとも一方を記録しているので、デジタルカメラから外部への送信用途として比較的多いプリント及びバックアップの実行状況が把握できる。
【００９４】
また、本実施の形態によれば、ＣＰＵ３２は、ＬＣＤ３０に再生表示するサムネイル画像に、送信状況に応じて色を異ならせた選択枠５８（５８Ｂ，５８Ｇ，５８Ｒ）を追加して表示することにより送信状況を判別可能に表示しているので、選択枠５８の色によって視覚的に直感的に再生画像を示す画像ファイルの外部への送信状況を把握することができる。
【００９５】
また、本実施の形態によれば、外部に対して未送信である画像ファイルの消去指示が入力されたときには、その旨を明示するようにしているので、当該画像ファイルが未送信の状態で消去してもよい電子化ファイルか否かを確認できる。このとき、例えば、外部に送信する必要がある画像ファイルについては、別途送信を行なった後に再度当該画像ファイルの消去指示を入力すればよい。
【００９６】
また、外部に対して送信済みである画像ファイルの消去指示が入力されたときには自動的に当該画像ファイルを記録媒体から消去しているので、再度消去の実行の可否を確認する手間を省くことができる。
【００９７】
なお、本実施の形態によれば、上記のように消去の対象となる画像ファイルが未送信の画像ファイルである旨を明示した後に続けて再度消去指示が入力された場合には、当該消去指示の対象となる画像ファイルの送信状況の如何に拘らず当該画像ファイルを記録メディア４２Ａから消去しているので、未送信の状態で消去したい場合にも対応できる。
【００９８】
なお、本実施の形態では、マルチ画面再生処理（図４参照）において、ユーザにより選択されたサムネイル画像のＬＣＤ３０における表示位置を示す選択枠５８の色により送信状況の判別を可能に表示する形態について説明したが、本発明はこれに限定されるものではなく、再生表示された画像の画像ファイルの送信状況が判別可能であればよい。
【００９９】
例えば、上記マルチ画面再生処理のように、複数のサムネイル画像を表示する場合であれば、図８（Ａ）に示すように、全てのサムネイル画像について背景の色を送信状況に応じて変えて表示し、選択状態は別途選択枠５８を用いて表示するようにしてもよい。これにより、一目で複数の画像ファイルの送信状況が把握できる。
【０１００】
なお、複数のサムネイル画像を表示する場合だけでなく、ＬＣＤ３０に１枚づつ画像を再生する場合にも、再生表示された画像の送信状況を判別可能に表示することができることは言うまでもない。
【０１０１】
また、本実施の形態では、選択枠５８の色を異ならせて表示する形態について説明したが、選択枠の模様、太さ、線種等を異ならせて表示してもよい。
【０１０２】
さらに、送信状況に応じて予め定められた文字、マーク等を表示することによっても送信状況が判別可能である。例えば、図８（Ｂ）に示すように、バックアップ済みであることを示す「Ｂ」や、プリント済みであることを示す「Ｐ」等を表示するようにしてもよい。これにより、「Ｂ」、「Ｐ」の有無により容易に送信状況が判別可能である。
【０１０３】
なお、本実施の形態で説明したフローチャート（図４及び図６参照）の処理の流れは一例であり、本発明の主旨を逸脱しない範囲内において適宜変更可能であることは言うまでもない。
【０１０４】
また、以上のデジタルカメラ１０の構成（図１乃至図３参照）は一例であり、本発明の主旨を逸脱しない範囲内において適宜変更可能であることは言うまでもない。
【図面の簡単な説明】
【０１０５】
【図１】実施の形態に係るデジタルカメラの外観を示す外観図である。
【図２】実施の形態に係るデジタルカメラの電気系の構成を示すブロック図である。
【図３】Ｅｘｉｆファイルの構成を示す模式図である。
【図４】実施の形態に係るマルチ画面再生処理プログラムの処理の流れを示すフローチャートである。
【図５】マルチ画面再生処理の実行時におけるＬＣＤの表示状態を一例として示す模式図である。
【図６】実施の形態に係る１コマ消去処理プログラムの処理の流れを示すフローチャートである。
【図７】再生モード時におけるＬＣＤの表示状態を一例として示す模式図である。
【図８】ＬＣＤに画像が再生表示された状態を一例として示す模式図である。
【符号の説明】
【０１０６】
１０    デジタルカメラ
３０    ＬＣＤ（表示手段）
３２    ＣＰＵ（送信手段、送信記録手段、制御手段）
４２Ａ    記録メディア（記録媒体）
５６    操作部（入力手段）
【図１】
2005117362.tif 000003
【図２】
2005117362.tif 000004
【図３】
2005117362.tif 000005
【図４】
2005117362.tif 000006
【図５】
2005117362.tif 000007
【図６】
2005117362.tif 000008
【図７】
2005117362.tif 000009
【図８】
2005117362.tif 000010